【手続補正書】
【提出日】令和3年9月13日(2021.9.13)
【手続補正１】
【補正対象書類名】特許請求の範囲
【補正対象項目名】全文
【補正方法】変更
【補正の内容】
【特許請求の範囲】
【請求項１】
前後方向を有し、カップ状の被覆部と、前記被覆部の周縁部分に接合された接顔体とを有するマスク本体を含む使い捨てマスクにおいて、
前記接顔体は、前記周縁部分に接合された固定部と、前記固定部から内方へ延びる環状の内周壁部と、前記内周壁部に囲まれた中央開口と、前面側に位置するパッド部材と、後面側に位置する肌側シートとを有し、
前記パッド部材と前記肌側シートとは、前記固定部を介してのみ互いに接合されていることを特徴とする前記マスク。
【請求項２】
前記接顔体の前記中央開口は、前記パッド部材の中央に位置する第１開口と、前記第１開口と連通する前記肌側シートの中央に位置する第２開口とから形成されており、前記第１開口の面積は、前記第２開口の面積よりも大きい請求項１に記載のマスク。
【請求項３】
前記肌側シートは、伸縮性を有する請求項１又は２に記載のマスク。
【請求項４】
前記パッド部材は、前記内周壁部の内周縁から前記固定部へ向かって延びる切れ込みを有する請求項１〜３のいずれかに記載のマスク。
【請求項５】
前後方向を有し、カップ状の被覆部と、前記被覆部の周縁部分に接合された接顔体とを有するマスク本体を含む使い捨てマスクにおいて、
前記接顔体は、前記周縁部分に接合された固定部と、前記固定部から内方へ延びる環状の内周壁部と、前記内周壁部に囲まれた中央開口と、前面側に位置するパッド部材と、後面側に位置する肌側シートとを有し、
前記接顔体の前記中央開口は、前記パッド部材の中央に位置する第１開口と、前記第１開口と連通する前記肌側シートの中央に位置する第２開口とから形成されており、前記第１開口の面積は、前記第２開口の面積よりも大きく、
前記パッド部材の内周壁部の後面全体が、前記肌側シートの内周壁部に固定されていることを特徴とする前記マスク。
【手続補正２】
【補正対象書類名】明細書
【補正対象項目名】００１０
【補正方法】変更
【補正の内容】
【００１０】
【図１】本願の第１発明に係る使い捨てマスクを前面側から視た斜視図。
【図２】マスクの背面図。
【図３】マスクの装着状態における、図２のIII−III線に沿う断面図。
【図４】装着者が口を大きく開けた状態における、図３と同様の断面図。
【図５】第２実施形態に係る図２と同様のマスクの背面図。
【図６】第２実施形態に係るマスクの図４と同様の断面図。
【図７】第３実施形態に係る図２と同様のマスクの背面図。
【手続補正３】
【補正対象書類名】明細書
【補正対象項目名】００１７
【補正方法】変更
【補正の内容】
【００１７】
パッド部材４０は、固定部３１から内方へ環状に延びる内周壁部４２と、中央に位置する、内周壁部４２に囲まれた内側開口（第１開口）４３とを有する。肌側シート５０は、固定部３１から内方へ環状に延びる内周壁部５２と、中央に位置する、内周壁部５２に囲まれた外側開口（第２開口）５３とを有する。接顔体３０の内周壁部３２は、前後方向Ｚにおいて互いに重なり合う、パッド部材４０の内周壁部４２と肌側シート５０の内周壁部５２とから形成されている。接顔体３０の中央開口３３は、パッド部材４０の内側開口４３と肌側シート５０の外側開口５３とが連通して形成されており、その開口縁３３ａは、肌側シート５０の外側開口５３の開口縁５３ａによって画成されている。
【手続補正４】
【補正対象書類名】明細書
【補正対象項目名】００１８
【補正方法】変更
【補正の内容】
【００１８】
パッド部材４０と肌側シート５０とは、前後方向Ｚにおいて互いに重なるように配置されていて、固定部３１を介してのみ接合されており、固定部３１から内方へ延びる内周壁部４２，５２は互いに接合されていない。したがって、パッド部材４０の内周壁部４２と肌側シート５０の内周壁部５２とは互いに分離されており、互いに干渉されることなく、自由に屈曲、変形させることができる。接顔体３０は、かかる構成を有することから、例えば、発泡弾性体層（内層）と、発泡弾性体層の後面全体に接着剤を介して接合された繊維不織布層（外層）との２層構造を有する従来の接顔体とは、その基本的構造が相違する。
【手続補正５】
【補正対象書類名】明細書
【補正対象項目名】００２０
【補正方法】変更
【補正の内容】
【００２０】
肌側シート５０は、パッド部材４０の内側開口４３から径方向の内側へ延出して環状に延びる内側延出部５７を有し、内側延出部５７のうちの下方部分５７Ｂの面積は、上方部分５７Ａの面積よりも大きくなっており、また、下方部分５７Ｂの縦断中心線Ｐ上における上下方向Ｙの寸法Ｗ２は、上方部分５７Ａの縦断中心線Ｐ上における上下方向Ｙの寸法Ｗ１よりも大きくなっている。
【手続補正６】
【補正対象書類名】明細書
【補正対象項目名】００２２
【補正方法】変更
【補正の内容】
【００２２】
図４は、装着者が、大きな声で会話したり、大きく欠伸をする等して口４を比較的に大きく開いた状態における、マスク１０の様子を示している。反撥性材料のみからなる接顔体を備えた従来のマスクであっても、接顔体が顔面の起伏形状に沿って変形した状態でフィットされるので、高いシール性が発揮されて粉塵等がマスク内部に侵入するのを効果的に抑制しうる。したがって、通常の装着状態であればかかる従来のマスクであっても十分に内部の気密性を保つことができるが、突発的に、装着者が大きな声で会話したり、大きく欠伸をする等した場合には、接顔体が顔面（特に、下顎部）の急な動きに追従することができずに、接顔体と顔面との間に僅かな隙間が形成されて、装着感が損なわれて、装着者に不快感を与えるおそれがある。
【手続補正７】
【補正対象書類名】明細書
【補正対象項目名】００２４
【補正方法】変更
【補正の内容】
【００２４】
また、パッド部材４０の内側開口４３の面積は、肌側シート５０の外側開口５３の面積よりも大きいことから、肌側シート５０の内周壁部５２は、内側開口４３の開口縁４３ａよりも径方向の内側に延出する内側延出部５７を有する。したがって、マスク１０を装着したときに、肌側シート５０の前方に位置するパッド部材４０の内周壁部４２よりもさらに前方に内側延出部５７が位置し、かつ、柔軟に変形してパッド部材４０と顔面との間に入り込むような状態で顔面にフィットされる。
【手続補正８】
【補正対象書類名】明細書
【補正対象項目名】００３１
【補正方法】変更
【補正の内容】
【００３１】
切欠７０，７１は、パッド部材４０の横方向Ｘの両側に一対のみ配置されているが、このように横方向Ｘにおいて対向する一対の切欠が、上下方向Ｙにおいて間隔を空けて並ぶように複数配置されていてもよい。
【手続補正９】
【補正対象書類名】明細書
【補正対象項目名】００３６
【補正方法】変更
【補正の内容】
【００３６】
前後方向を有し、カップ状の被覆部と、前記被覆部の周縁部分に接合された接顔体とを有するマスク本体を含む使い捨てマスクにおいて、前記接顔体は、前記周縁部分に接合された固定部と、前記固定部から内方へ延びる環状の内周壁部と、前記内周壁部に囲まれた中央開口と、前面側に位置するパッド部材と、後面側に位置する肌側シートとを有し、前記パッド部材と前記肌側シートとは、前記固定部を介してのみ互いに接合されていることを特徴とする。
【手続補正１０】
【補正対象書類名】明細書
【補正対象項目名】００３７
【補正方法】変更
【補正の内容】
【００３７】
前後方向を有し、カップ状の被覆部と、前記被覆部の周縁部分に接合された接顔体とを有するマスク本体を含む使い捨てマスクにおいて、前記接顔体は、前記周縁部分に接合された固定部と、前記固定部から内方へ延びる環状の内周壁部と、前記内周壁部に囲まれた中央開口と、前面側に位置するパッド部材と、後面側に位置する肌側シートとを有し、前記接顔体の前記中央開口は、前記パッド部材の中央に位置する第１開口と、前記第１開口と連通する前記肌側シートの中央に位置する第２開口とから形成されており、前記第１開口の面積は、前記第２開口の面積よりも大きく、前記パッド部材の内周壁部の後面全体が、前記肌側シートの内周壁部に固定されていることを特徴とする。
【手続補正１１】
【補正対象書類名】図面
【補正対象項目名】図６
【補正方法】変更
【補正の内容】
【図６】
2020059953.tif 000001